(57)【要約】      （修正有）【課題】自転車用ベルに発光機能を付与し安全性を高める。【解決手段】主に底部材、中部材、上部材、金属椀３３、発光部により構成し、前記発光部は、LED、回路基板、スイッチボタン、電池を有し、ベルを鳴らす以外に発光する効果を有して、安全効果を高めるものである。また、底部材と中部材との組合せは軸栓１１により嵌合する構造であって、使用者の必要に応じて中部材にも設けた引手部１９の位置を調整することができ、ＬＥＤ２２が発光する角度位置も調整することができる。【選択図】図２
0003105569.tif 000002
【実用新案登録請求の範囲】
【請求項１】
底部材、中部材、上部材、金属椀により形成されて自転車のハンドル桿に固定される自転車用ベルにおいて、
前記底部材の中心部に孔を設ける一方、前記中部材に軸孔を設けてこの底部材の孔及び中部材の軸孔に軸栓を嵌合して底部材と中部材とを回転可能に連結すると共に、前記中部材の上端にフックを、上部材の下端周辺にフックをそれぞれ設けて両フックを係合させて中部材と上部材を連結し、前記上部材の中心に凸型柱を設けてこの凸型柱に前記金属椀を固定配置し、さらに前記中部材の外側にバネを巻回した引手部を設ける一方、
発光部を有し、この発光部は回路基板、ＬＥＤ、電池、スイッチボタンを備え、この発光部を前記中部材に固定すると共に、前記ＬＥＤ及びスイッチボタンを外部に露出させたことを特徴とする自転車用ベル。
【考案の詳細な説明】
【技術分野】
【０００１】
本考案は、ライトを備えた自転車用ベルに関するものである。
【背景技術】
【０００２】
従来公知の自転車用ベルの構造は、台座部へ金属椀を嵌合し、金属椀の中へ打鈴部を設け、該打鈴部は引手部を具有し、該引手部は金属椀の外まで伸びており、該引手部により金属椀へ衝撃を与え発音するものである。
【０００３】
しかしながら、上記構造には、下記の欠点が上げられる。 
１．単純に引手部により金属椀へ衝撃を与え発音するだけで、発光しない。  
２．全体的に角度位置を固定して取り付け、また引手部も一定の角度に固定され、使用者の必要とする角度に調整することができない。  
【考案の開示】
【考案が解決しようとする課題】
【０００４】
前記従来公知の自転車用ベルの欠点を解決するために、本考案の主な目的は、
１．底部材、中部材、上部材、金属椀、発光部品により構成し、さらにＬＥＤを有する発光部を中部材に設け、バネ、引手部を中材部に設けて、金属椀へ衝撃を与えることにより発音し、及びスイッチボタンを押すことによりＬＥＤを発光させ、よって安全の効果を高める。
【０００５】
２．中部材と底部材は軸芯により組み合わせられるため、中部材、上部材、金属椀の角度位置を回転させることにより調整することができる。
【課題を解決するための手段】
【０００６】
前記課題を解決するために、本考案の自転車用ベルは、底部材、中部材、上部材、金属椀により形成されて自転車のハンドル桿に固定される自転車用ベルにおいて、
前記底部材の中心部に孔を設ける一方、前記中部材に軸孔を設けてこの底部材の孔及び中部材の軸孔に軸栓を嵌合して底部材と中部材とを回転可能に連結すると共に、前記中部材の上端にフックを、上部材の下端周辺にフックをそれぞれ設けて両フックを係合させて中部材と上部材を連結し、前記上部材の中心に凸型柱を設けてこの凸型柱に前記金属椀を固定配置し、さらに前記中部材の外側にバネを巻回した引手部を設ける一方、
発光部を有し、この発光部は回路基板、ＬＥＤ、電池、スイッチボタンを備え、この発光部を前記中部材に固定すると共に、前記ＬＥＤ及びスイッチボタンを外部に露出させたことを特徴とする。
【考案の効果】
【０００７】
本考案によれば、自転車用ベルに発光部品を設けることにより安全性を高めることができる。
【考案を実施するための最良の形態】
【０００８】
以下、図面を参照して本考案の実施例を説明する。
【実施例】
【０００９】
図１、２、３に示すように、自転車用ベルは、底部材１０、中部材１３、上部材３０、及び金属椀３３により構成されている。前記底部材１０、中部材１３、上部材３０、及び中部材１３の外側に設けた引手部１９はプラスチック素材により形成されている。前記上部材３０はフック３２を有し、このフック３２は中部材１３のフック１５に掛合し、更に上部材３０の凸型柱３１は前記金属椀３３を固定設置して自転車用ベルを構成し、前記底部材１０を自転車のハンドル桿に固定設置するものである。  
前記底部材１０の孔１２及び中部材１３の軸孔１４には、軸栓１１が嵌合されて、中部材１３を底部材０に固定している。
【００１０】
また、図３に示すように、底部材１０を自転車のハンドル桿に固定設置し、該底部１０に設けた孔１２、並びに前記中部材１３の中心に設けた軸孔１４に前記軸栓１１を嵌合し、人力により中部材１３を回転させて、引手部１９を必要とする高さに調整することができるようになっている。
【００１１】
前記中部材１３の上端にはフック１５が設けられ、該中部材１３の外側にバネ１８、引手部１９を設け、該引手部１９により金属椀へ衝撃を与え発音するようになっている。
【００１２】
上部材３０の下端周囲にはフック３２が設けれられており、このフック３２は中部材１３上方に覆着し、該中部材１３に設けたフック１５に確実に掛合している。また、前記上部材３０の中心に設けた凸型柱３１は、金属椀３３を固定設置している。
【００１３】
さらに、上部材３０、中部材１３の組み合わせは、弾性を有するフック１５、フック３２により掛合し、何度も外したり、組み合わせたりすることができ、電池２４の交換もし易いものである。
【００１４】
前記構成の自転車用ベルの発音をさせるときは、図２に点線で示されているように、引手部１９を揺動し、バネ１８の弾性により引手部１９が金属椀３３へ衝撃を与え発音する。
【００１５】
一方、発光を必要とするときは、スイッチボタン２３を一回押すとＬＥＤ２２が発光状態を呈し、スイッチボタン２３を二回押すとＬＥＤ２２が点滅状態を呈し、スイッチボタン２３を三回押すとオフ状態を呈し発光しない。
【００１６】
発光部品２０は中部材１３内に固定設置されている。この発光部品２０は、回路基板２１、ＬＥＤ２２、電池２４、スイッチボタン２３を有し、中部材１３に該発光部品２０を固定設置している。前記ＬＥＤ２２、スイッチボタン２３は、中部１３の外へ露出しており、スイッチボタン２３を押すことによりＬＥＤ２２は前記のとおりに発光する。
【図面の簡単な説明】
【００１７】
【図１】本考案一実施例の自転車用ベルを示す立体分解図である。
【図２】本考案一実施例の自転車用ベルを示す断面図である。
【図３】本考案一実施例の自転車用ベルの角度調整を示す説明図である。
【符号の説明】
【００１８】
１０      底部
１１      軸栓
１２      孔
１３      中部
１４      軸孔
１５      フック
１８      バネ
１９      引手部
２０      発光部品
２１      回路板
２２      ＬＥＤ
２３      スイッチボタン
２４      電池
３０      上部
３１      凸型柱
３２      フック
３３      金属椀
代理人  弁理士    伊藤  進
【図１】
0003105569.tif 000003
【図２】
0003105569.tif 000004
【図３】
0003105569.tif 000005